(57)【要約】【課題】カメラ映像が雨滴や汚れの付着で見にくくなることを防止し、風切り音を抑制できるカメラ内蔵ドアミラーを提供することを目的とする。【解決手段】ドアミラー１は、車両の左前部ドアの外側に、運転者席から左前部ドアのウインドを通して見やすい位置に取り付けられている。ドアミラー１の前方を向いたカバー１１の車両から外側寄り、前下方を向く下角部に、前下方を向いた窪み１２が設けられている。窪みの底部にはビデオカメラ２のレンズ２１が位置している。窪みが存在することにより、カバーの壁面上の高速の空気流は、窪みの周縁部に生じる乱れによって窪み内にはほとんど流れない。カバー壁面から少し離間した空気の流れは窪みの上方を流れる。その結果、空気流に含まれる雨滴や塵埃が窪みの中に入り込まず、レンズが汚れたり傷つけられることを防止できる。【選択図】    図１
2005014858.tif 000002
【特許請求の範囲】
【請求項１】
自車両前輪付近を撮影するカメラをドアミラーに内蔵し、
該ドアミラーのカバーに窪みを設け、
該窪みの底部に前記カメラ撮影用の開口を設けることを特徴とするカメラ内蔵ドアミラー。
【請求項２】
前記窪みの周縁部は滑らかに前記カバーの一般面につながることを特徴とする請求項１に記載のカメラ内蔵ドアミラー。
【請求項３】
前記窪みは前記カバーの自車両外側寄りの前下方に向く下角部に設けることを特徴とする請求項１または２に記載のカメラ内蔵ドアミラー。
【発明の詳細な説明】
【０００１】
【発明の属する技術分野】
本発明は、カメラ内蔵ドアミラーに関する。
【０００２】
【従来の技術】
【特許文献１】特開２０００−２７２４１８号公報
運転者にとって死角となる自車両の前輪付近を左側ドアミラー（右ハンドル車の場合である。左ハンドル車の場合は右側ドアミラー）に内蔵したビデオカメラで撮影し、車室内に設置した表示装置に表示する車両用周辺監視装置が知られている（特許文献１参照）。
【０００３】
【発明が解決しようとする課題】
ところで、このような車両用周辺監視装置は、自車両左前輪（または右前輪）付近の映像を撮影するために、ドアミラーのカバーに進行方向前下方向きにビデオカメラのレンズ部を突出させている。従って、雨滴や空気中のごみなどがレンズに付着して、ビデオカメラの映像が見にくくなる。
また、前下方を向いたレンズ部をカバーから突出させることにより、風切り音がさらに増し、運転者に煩わしさを感じさせる。
さらに、レンズ部の前面に透明の保護カバーを設けて滑らかにカバーの一般面につながるように外形を成形する場合も、保護カバーに雨滴や空気中の塵埃などが付着して、ビデオカメラの映像が見にくくなる。また、保護カバーを取り付けることは、その分コストが増加する。
【０００４】
本発明は、上記の問題点を解決するために、ビデオカメラ映像が雨滴や汚れの付着で見にくくなることを防止し、風切り音を抑制できるカメラ内蔵ドアミラーを提供することを目的とする。
【０００５】
【課題を解決するための手段】
このため、本発明は、自車両前輪付近を撮影するカメラをドアミラーに内蔵し、ドアミラーのカバーに窪みを設け、窪みの底部にカメラ撮影用の開口を設けるものとした。
【０００６】
【発明の効果】
本発明により、ドアミラーのカバーに設けた窪みに空気の流れを生じない澱みを生じ、空気の流れは窪みの内部に入ることなく窪みの上部を横方向に、つまり車両外側方向に流れ、空気流に含まれる雨滴や埃が窪み内部の壁などに付着することがない。
その結果、窪み底部のカメラ撮影用の開口に雨滴や汚れが付着することが防止でき、カメラ映像が見やすいものとなる。
【０００７】
【発明の実施の形態】
以下本発明の実施の形態を右ハンドル車の場合を例に説明する。図１は実施の形態のカメラ内蔵ドアミラーのカバーを示す図である。
ドアミラー１は、車両の左前部ドアの外側に、運転者席から左前部ドアのウインドを通して見やすい位置に取り付けられている。
ドアミラー１の前方を向いたカバー１１の車両から外側寄り、前下方を向く下角部に、前下方を向いた窪み１２が設けられている。
窪み１２の底部には、開口２２が設けられビデオカメラのレンズ２１がレンズ面を一致させて前下方に向けて配置されている。
【０００８】
図２の（ａ）は図１のＡ−Ａ部断面を示す。ビデオカメラ２は、ドアミラーの内部のカメラ取り付け部１３に固定ネジ１４で取り付けられている。
窪み１２の周縁部１５は、Ｂ部を拡大した（ｂ）に示すように、全周が滑らかな曲面でつながっている。
図２の（ａ）に仮想線で示す部分はカバー１１の一般面を示す。
【０００９】
本実施の形態の作用を以下に説明する。
まず、実施の形態のドアミラー１における、通常走行時のカバー１１に沿う空気の流れを説明する。
走行中前方からドアミラー１に当たる気流は、ドアミラー１がその外側端をドアに支持される内側端より後方に位置して傾斜しているので、図３の（ａ）に矢印で示すように、主にカバー１１上を内側から外側方向に向かって流れる。その間カバー１１の上部では、空気の流れは、上方向に向かい、カバー１１の下部では一部が下方向に向かう。
【００１０】
窪み１２を含む近傍のカバー１１表面の空気の流れを、（ｂ）で説明する。窪み１２が存在することにより、カバー１１の壁面に沿った高速の空気流ａは、周縁部１５で、窪み１２の表面から離れて、乱れを生じ窪み１２の底部にはほとんど空気の流れが生じない。
そして、カバー１１の壁面から少し離間した層の流れは、ｂのように窪み１２の底部に触れることなく一般面に沿って流れる。
【００１１】
窪み１２内の表面でほとんど空気流が無いことを以下のような実験で確かめた。
風洞実験室に車両を設置し、カバー１１の表面には白色の油を塗っておき、車両の前方から車速０から１２０ｋｍ／ｈ相当の風を連続的に数分間当て、カバー１１に残った白色の油の残留状態を観察した。
【００１２】
図４は実験後のドアミラーのカバーに残った白色の油の状況を示す。図中、斜線部が白色の油を示す。
カバー１１の前方を向いた一般面からは白色の油が無くなっていたのに対し、窪み１２内のほぼ全面に残っており、またカバー１１の下側の角と外側の角に沿う部分には線状に残っていた。これにより、窪み１２内の表面では、空気流が極めて弱かったか、無かったことが確認された。
【００１３】
また、実施の形態では、窪み１２の周縁部１５におけるカバー１１の一般面とのつながり部分を滑らかな曲面としたので、周縁部１５で風切り音を発生しない。
窪み１２を設けることによる風切り音の増大、周縁部１５にエッジを設けないで滑らかな曲面にすることによる風切り音の低減を確かめるため以下のような実験を行った。
▲１▼ドアミラーのカバー１１に窪みがない場合、▲２▼ドアミラーに窪みを設け、その窪みの周縁部にエッジがある場合、▲３▼窪みの周縁部を滑らかな曲面にした場合、の３種のドアミラーを車両に取り付け、それぞれ風洞実験室に車両を設置し、１２０ｋｍ／ｈの風を当て、ドアミラー周辺の風切り音をマイクで集音した。
【００１４】
図５は、縦軸を音圧、横軸を風切り音の周波数として、ドアミラーの周辺で最も音圧が高かった箇所の風切り音の音圧値を、周波数１ｋＨｚ、２ｋＨｚ、４ｋＨｚ、８ｋＨｚに対してプロットしたものである。
周縁部にエッジを残す窪みを設ける場合は、窪みのないドアミラーに比べて風切り音が最大８ｄＢ増加することが分かる。これに対し、窪みの周縁部を曲面で滑らかにすると、風切り音が窪みのないドアミラーと同等のレベルまで下がることが確認できた。
実施の形態のビデオカメラ２は、本発明のカメラに対応する。
【００１５】
以上のように本実施の形態によれば、車両の走行によって生じる空気流に含まれる雨滴や塵埃が窪み１２に入り込まず、窪みの底部の開口２２に配置したレンズ２１の汚れ付着を防止するとともに、レンズ２１を傷つけにくくする。
その結果、車内の表示装置には汚れとかレンズの傷が映らず見やすい画面となる。レンズの汚れをふき取る煩わしさも無くなる。また、保護カバーを取り付ける必要がなくなり、コストを低減できる。
【００１６】
また、カバー１１に窪み１２を設けても、風切り音がほとんど増加しない構造とすることができ、運転者に違和感を与えない。ビデオカメラを内蔵しない通常のドアミラーと同じ風切り音性能なので、運転者は高速走行時も左右のドアミラーから同じ風切り音を聞くことになり違和感無く運転することができる。
【００１７】
従来のようにカメラ内蔵ドアミラーのレンズがカバーの表面から突出している構造では、壁などにドアミラーをぶつけたとき、レンズが直接ぶつかりやすく、ビデオカメラを破損しやすかった。
本実施の形態では、レンズ２１が窪み１２の底部に配されているので、車両が壁に接近しすぎて、カバー１１を壁に擦り付けることになっても、レンズ２１はカバー１１の最突出部ではないので、擦りつけられることはない。
つまり、通常ありうる軽度の接触でビデオカメラ２を破損することが防止できる。
さらに、レンズ２１のレンズ面を窪み１２の底部と一致させてビデオカメラ２を取り付けるので、固定ネジ１４の先端と窪み１２との間にスペースが取りやすくなる。
【図面の簡単な説明】
【図１】本発明のドアミラーのカバーを示す図である。
【図２】図１のＡ−Ａ部の部分断面を示す図である。
【図３】車両走行時のドアミラーカバーの空気の流れの様子を示す図である。
【図４】風洞によるドアミラーカバーの白色油の吹き飛び実験結果を示す図である。
【図５】風洞によるドアミラーの風切り音実験結果を示す図である。
【符号の説明】
１        ドアミラー
２        ビデオカメラ
１１      カバー
１２      窪み
１３      カメラ取り付け部
１４      固定ネジ
１５      周縁部
２１      レンズ
２２      開口
【図１】
2005014858.tif 000003
【図２】
2005014858.tif 000004
【図３】
2005014858.tif 000005
【図４】
2005014858.tif 000006
【図５】
2005014858.tif 000007